(57)【特許請求の範囲】
【請求項１】
自動販売機本体の前面開口部を仕切る仕切り板を備え、前記仕切り板の前面部にガスケットを装着して、前面開口部側の断熱内扉間の隙間を閉塞する自動販売機において、前記ガスケットの硬質樹脂材料部の断面形状が中空形状となるように形成し、前記中空形状成形部分の端面まで前記仕切り板を設置し、前記ガスケットの硬質樹脂材料部は前記仕切り板に向かって両側面から延出した挟み込み部を備えて前記仕切り板の両側を長手方向に挟み込むコの字型の断面形状となっており、前記ガスケット硬質樹脂材料部の中空形状成形部分の断熱材側の端面に、スリットを形成し、前記コの字型の先端部開口部分が容易に広がるようにしたことを特徴とする自動販売機。
【請求項２】
ガスケット硬質樹脂材料部の中空形状成形部分の断熱材側の端面と反対側に、クビレを形成し、コの字型の先端部開口部分が容易に広がることを特徴とする請求項１に記載の自動販売機。
【発明の詳細な説明】
【技術分野】
【０００１】
本発明は商品収納装置に収納された商品を冷却または加温して商品を販売するようにした自動販売機に関し、特に庫内を仕切っている断熱壁の仕切り板に関するものである。
【背景技術】
【０００２】
従来、この種の自動販売機としては、例えば、仕切り板の構造としては前枠部が断面Ｌ字上の鋼板部材で形成されている特許文献１のものがある。
【０００３】
図６は特許文献１に記載された従来の自動販売機の仕切り板の分解斜視図を示すものである。図６において、仕切り板１は、硬質ウレタンフォームの仕切り板本体２、この仕切り板本体２を補強するための上枠３、下枠４、後枠５、前枠６、前枠６に取り付けたパッキン７から構成されている。
【０００４】
以上のように構成された自動販売機の断熱壁の仕切り板について、以下その動作を説明する。
【０００５】
図６に示すように、仕切り板本体２の上枠３、下枠４、後枠５で覆われた断熱壁の仕切り板は硬質ウレタンフォームで形成されている庫内に取り付けられており、商品収納ラックは仕切り板で仕切られた各庫内部屋に装着されている。かかる構成で、商品収納ラックに収納した商品を庫内に備えた冷却器で保冷する、ないしは加熱ヒータで加熱してコールド商品、ないしはホット商品として販売することは周知の通りである。コールド商品及びホット商品の温度を保持する為に、各庫内部屋は加温室と冷却室に仕切られており、その仕切り板本体として硬質ウレタンフォームまたは真空断熱材が使われている。また、前枠６に取り付けられたパッキン７によって、断熱扉が閉じた状態での、断熱扉との隙間が塞がれており、加温室から冷却室への熱の侵入を抑えている。
【特許文献１】特開２００６−２８５７３０号公報
【発明の開示】
【発明が解決しようとする課題】
【０００６】
しかしながら、上記従来の構成では仕切り板を組み立てる際、前枠を構成するためには補強部材である前枠６とパッキン７の２部品を使わなければならず、組立作業工数が増大し、部品点数も増えてしまう。また、補強枠である前枠６は鋼板材料で形成されている為、仕切り板を挟んだ二つの庫内を冷却と加温にした場合、補強枠である前枠６の熱伝導ロスという問題もあった。
【０００７】
本発明は、上記従来の発明を解決するもので、前枠の構成における部品の簡素化、組立作業工数の削減及び熱伝導ロスの少ない自動販売機を提供することを目的とするものである。
【課題を解決するための手段】
【０００８】
上記従来の課題を解決するために、本発明の自動販売機は、自動販売機本体の前面開口部を仕切る仕切り板を備え、前記仕切り板の前面部にガスケットを装着して、前面開口部
側の断熱内扉間の隙間を閉塞する自動販売機において、前記ガスケットの硬質樹脂材料部の断面形状が中空形状となるように形成し、前記中空形状成形部分の端面まで前記仕切り板を設置し、前記ガスケットの硬質樹脂材料部は前記仕切り板に向かって両側面から延出した挟み込み部を備えて前記仕切り板の両側を長手方向に挟み込むコの字型の断面形状となっており、前記ガスケット硬質樹脂材料部の中空形状成形部分の断熱材側の端面に、スリットを形成し、前記コの字型の先端部開口部分が容易に広がるようにしたものである。
【０００９】
これにより、前枠の構成において部品の簡素化、組立作業工数の削減を図ることができる。また、鋼板材で形成された前枠部品による熱伝導を防止することができる。また、仕切り板前面部から側面部にかけてのシール性が向上し、仕切り板を挟んだ二つの庫内に温度差がある場合に熱リークを低減できるので、消費電力の低減すなわち省エネを行うことができる。また、ガスケットの取り付け作業性においても仕切り板の前面部に容易に挿入することができる。また、ガスケットを押し出し成形加工で成形する場合は、成形過程の冷却工程において、スリット部より冷却水を通すことができ、ガスケットの硬質部樹脂を均一に冷却することができるため加工性がよくなる。
【発明の効果】
【００１０】
本発明の自動販売機は、仕切り板を組み立てる際の部品点数を削減することにより簡素化を図り、組立作業工数の削減及びコストダウンを行うことができる。また、鋼板材で形成された前枠部品による熱伝導を防止することができる。また、仕切り板前面部から側面部にかけてのシール性が向上し、仕切り板を挟んだ二つの庫内に温度差がある場合に熱リークを低減できるので、消費電力の低減すなわち省エネを行うことができる。また、ガスケットの取り付け作業性においても仕切り板の前面部に容易に挿入することができる。また、ガスケットを押し出し成形加工で成形する場合は、成形過程の冷却工程において、スリット部より冷却水を通すことができ、ガスケットの硬質部樹脂を均一に冷却することができるため加工性がよくなる。
【発明を実施するための最良の形態】
【００１１】
請求項１に記載の発明は、自動販売機本体の前面開口部を仕切る仕切り板を備え、前記仕切り板の前面部にガスケットを装着して、前面開口部側の断熱内扉間の隙間を閉塞する自動販売機において、前記ガスケットの硬質樹脂材料部の断面形状が中空形状となるように形成し、前記中空形状成形部分の端面まで前記仕切り板を設置し、前記ガスケットの硬質樹脂材料部は前記仕切り板に向かって両側面から延出した挟み込み部を備えて前記仕切り板の両側を長手方向に挟み込むコの字型の断面形状となっており、前記ガスケット硬質樹脂材料部の中空形状成形部分の断熱材側の端面に、スリットを形成し、前記コの字型の先端部開口部分が容易に広がるようにしたものであり、前枠の構成において部品の簡素化、組立作業工数の削減を図ることができる。また、鋼板材で形成された前枠部品による熱
伝導を防止することができる。また、仕切り板前面部から側面部にかけてのシール性が向上し、仕切り板を挟んだ二つの庫内に温度差がある場合に熱リークを低減できるので、消費電力の低減すなわち省エネを行うことができる。また、ガスケットの取り付け作業性においても仕切り板の前面部に容易に挿入することができる。また、ガスケットを押し出し成形加工で成形する場合は、成形過程の冷却工程において、スリット部より冷却水を通すことができ、ガスケットの硬質部樹脂を均一に冷却することができるため加工性がよくなる。
【００１４】
請求項２に記載の発明は、請求項１に記載の発明において、ガスケット硬質樹脂材料部の中空形状成形部分の断熱材側の端面と反対側に、クビレを形成し、コの字型の先端部開口部分が容易に広がるようにしたものであり、さらに前記仕切り板の前面部に容易に挿入することができる。
【００１５】
以下、本発明の実施の形態について、図面を参照しながら説明する。なお、この実施の形態によってこの発明が限定されるものではない。
【００１６】
（実施の形態１）
図１は、本発明の実施の形態１による自動販売機のメインドアを開いた状態の斜視図である。図１において断熱構造のキャビネット８で、このキャビネット８は前面が開放する箱状をなし、このキャビネット８の前にメインドア９と内扉１０が取り付けられている。またメインドア９の上部にはローディング扉１１が取り付けられている。一方キャビネット８内には仕切り板１が二枚互いに対向して設けられ、これら仕切り板１によりキャビネット８内が仕切り板１の相互間の加温室１２と、一方の仕切り板１の左側の冷却室１３と他方の仕切り板１の右側の冷却室１４との三室に仕切られている。そしてこれら加温室１２と冷却室１３，１４内にそれぞれ例えばサーペンタイン形のコラム１５が設けられ、これらコラム１５内に所定の商品が収納されている。加温室１２のコラム内に収納された各商品は加温手段（図示せず）により保温され、冷却室１３，１４のコラム内に収納された各商品は冷却手段により保冷される。
【００１７】
図２（ａ）には本実施の形態による自動販売機の仕切り板の分解斜視図、図２（ｂ）は仕切り板の平面断面図である。
【００１８】
図２（ａ）、図２（ｂ）において、仕切り板１は前面を前部が軟質の樹脂材料、後部が中空形状した硬質の樹脂材料で構成された硬質樹脂材料ガスケット１６で覆われている。硬質樹脂材料ガスケット１６は粘着テープ１７によって仕切り板本体２に固定されている。仕切り板本体２は硬質プラスチックフォームのスラブ材または硬質プラスチックフォームを注入して発泡形成した発泡樹脂または真空断熱材である。仕切り板本体２の周囲を覆っている上枠３、下枠４、後枠５は軟質のフォームである。
【００１９】
以上のように構成された自動販売機の仕切り板について、以下その動作を説明する。
【００２０】
このように構成された自動販売機は、開閉自在の内扉１０で塞がれ、その内部に設けた冷却装置（図示せず）と加温装置（図示せず）により、冷却室１３，１４と加温室１２は所定の温度で保存することができる。仕切り板前面部の断熱およびシール構造に関しては仕切り板本体に設けた中空形状とした硬質樹脂材料ガスケット１６が仕切り板前面の熱伝導を抑え、中空形状とした硬質樹脂材料ガスケット１６の前面部に形成された軟質ガスケット１６ａが弾性変形することにより内扉１０およびローディング扉１１との隙間をシールすることで断熱している。仕切り板１の上部、下部、後部のシール構造に関しては、仕切り板本体２の周囲を覆っている軟質フォームがキャビネット８の庫内の上部、下部、後部に設置されている硬質プラスチックフォームのスラブ材を圧縮することにより、シールを行っている。
【００２１】
以上のように、本実施の形態においては、仕切り板１で仕切られたキャビネット８内の加温室１２と冷却室１３，１４との間での熱ロスを抑えて、有効な断熱効果を維持することができる。また、鋼板部材を廃止し部品点数を減少することにより、仕切り板本体を組立てる際、組立作業工数を削減することができる。同時に鋼板部材との連結手段としてネジを使用していたが本形状により組立ての際の煩わしいネジ固定作業を廃止することもできる。
【００２２】
また、断面形状を中空形状としたことにより、断面二次モーメントが向上し、長手方向に対する曲げ強度を確保することができ、仕切り板１の変形を抑えることができる。したがって、コラム１５幅寸法に対して隙間寸法の余裕がない庫内室幅においてもコラム１５挿入時に仕切り板１と接触することなく、スムーズに庫内へと組み込むことが可能である。
【００２３】
（実施の形態２）
図３は、本発明の実施の形態２による自動販売機の仕切り板の平面断面図である。
【００２４】
図３において、硬質樹脂材料ガスケット１８は仕切り板に向かって両側面から延出した挟み込み部１９を備えコの字型形状とすることにより、仕切り板本体２の両側を長手方向に挟み込む断面形状となっている。
【００２５】
以上のように構成された自動販売機の仕切り板について、以下その動作を説明する。
【００２６】
仕切り板本体２へ固定する際、仕切り板前面部のコーナー部にコの字型の硬質樹脂材料ガスケット１８を挿入し、長手方向にスライドする。挟み込み部１９を追加しコの字形状となっているため途中で容易に外れることなく硬質樹脂材料ガスケット１８を仕切り板の全長にわたって挿入可能である。
【００２７】
以上のように、本実施の形態においては、硬質樹脂材料ガスケット１８の硬質樹脂材料部の断面形状をコの字型に形成し、仕切り板前面部を覆い密着させることにより、仕切り板前面部から側面部にかけてのシール性を向上させ、キャビネット８内の加温室１２と冷却室１３，１４が密閉され、加温室１２と冷却室１３，１４の熱リークを低減できる。また、ガスケットの取り付け作業性においても仕切り板の前面部を縦方向にスライド挿入することができるため、容易に組み立てることができる。さらに、仕切り板への挟み込み部１９の挿入寸法をＡ＞Ｂとすることにより、最初のコーナー部の挿入作業性を向上させることができる。
【００２８】
（実施の形態３）
図４は、本発明の実施の形態３による自動販売機の仕切り板の平面断面図である。
【００２９】
図４において、仕切り板本体２側、すなわち仕切り板本体２の前面部と接触する方向の硬質樹脂材料ガスケット２０の中空部に、長手方向全長にわたりスリット２１を形成することにより、コの字型の先端部開口部が容易に広がる構造としている。
【００３０】
以上のように構成された自動販売機の仕切り板について、以下その動作を説明する。
【００３１】
仕切り板本体２へ固定する際、コの字形状の先端部を広げて仕切り板本体２のコーナー部に挿入するわけだがこのとき開口角度が大きいほど挿入しやすくなる。開口角度を大きくするためには挟み込み部２２のＣ寸法、２３のＤ寸法の長さを伸ばすことが考えられるが、同時に材料費も上がってしまう。硬質樹脂材料ガスケット２０の中空部に、長手方向全長にわたりスリット２１を形成することにより、挟み込み部２２のＣ寸法、２３のＤ寸法の長さを伸ばすことなくコの字型の先端部開口部が容易に広がる。
【００３２】
以上のように、本実施の形態においては、硬質樹脂材料ガスケット２０の中空部に、長手方向全長にわたりスリット２１を形成することにより、コの字型の先端部開口部が矢印Ｅ方向に容易に広げることができ、最初のコーナー部の挿入作業性の向上、長手方向スライド時に発生する仕切り板本体２との接触抵抗の低減によるスライド移動作業性の向上を図ることができる。また、硬質樹脂材料ガスケット２０は押し出し成形加工で成形されており、成形過程の冷却工程において、スリット部より冷却水をガスケットの硬質中空部内に通すことができ、ガスケットの硬質部樹脂を均一に冷却することができるため加工性がよくなり、加工不具合による材料廃棄ロスの低減が可能となる。
【００３３】
（実施の形態４）
図５は、本発明の実施の形態４による自動販売機の仕切り板の平面断面図である。
【００３４】
図５において、軟質樹脂材料のガスケット２４側の硬質樹脂材料ガスケット２５の中空部に、曲面形状のクビレ２６を形成している。クビレ２６は中空部のほぼ中央部に形成されている。
【００３５】
以上のように構成された自動販売機の仕切り板について、以下その動作を説明する。
【００３６】
クビレ２６は軟質樹脂材料２４側の硬質樹脂材料の中空部の中央部に形成されているため、挟み込み部２７、２８の開口状態はクビレ２６を中心軸とし均等に無理なく広がる。（矢印Ｅ方向）したがって、仕切り板本体２への組み込み作業性がさらに向上できる。
【００３７】
以上のように、本実施の形態においては、硬質樹脂材料ガスケット２５の中空部にクビレ２６を形成することにより、開口部を広げるときに発生する中空部のコーナー部にかかる負荷を低減することができ、応力集中による割れを防止することができる。
【産業上の利用可能性】
【００３８】
以上のように本発明にかかる自動販売機は、仕切り板を挟んだ二つの庫内を冷却と加温にして温度差がある場合においても、前枠部品を通した熱伝導を防止し、省エネルギー化を図ることができるので、自動販売機に限らず、隣接する二室を備えた冷却、加温機器にも適用できる。
【図面の簡単な説明】
【００３９】
【図１】本発明の実施の形態１における自動販売機のメインドアを開いた状態の斜視図
【図２】（ａ）本発明の実施の形態１における自動販売機の仕切り板の分解斜視図（ｂ）本発明の実施の形態１における自動販売機の仕切り板の平面断面図
【図３】本発明の実施の形態２における自動販売機の仕切り板の平面断面図
【図４】本発明の実施の形態３における自動販売機の仕切り板の平面断面図
【図５】本発明の実施の形態４における自動販売機の仕切り板の平面断面図
【図６】従来の自動販売機の仕切り板の分解斜視図
【符号の説明】
【００４０】
１    仕切り板
８    キャビネット
１６，１８，２０，２５  硬質樹脂材料ガスケット
１９，２２，２３，２７，２８  挟み込み部
２１  スリット
２６  クビレ
【図２】
0005115246.tif 000002
【図３】
0005115246.tif 000003
【図４】
0005115246.tif 000004
【図５】
0005115246.tif 000005
【図６】
0005115246.tif 000006
【図１】
0005115246.tif 000007